(57)【特許請求の範囲】
【請求項１】
小便器底部に起立状に設けられて直接若しくは排水通路を介して排水管に接続されている立上管部に対して略水平な蓋部及び当該立上管部よりも大径且つ下端が開口形状の筒状を成して当該蓋部より立ち下がる筒状部を備えたトラップ本体を当該筒状部が立上管部の外周面との間及び小便器底部の凹部の内周面との間にそれぞれ水路を形成し且つ封水を保持する状態に被せられる形態の小便器トラップにおいて、前記蓋部の外周近傍部位置を下向きに凹陥させて薬剤収容部を形成するとともに、前記立上管部よりも外側に位置する当該薬剤収容部の周壁部の複数箇所に間隔をおいて底面上から異なった向きの横向きに貫通して薬剤を通った尿及び洗浄水が前記小便器底部の凹部の内周面に向かって横向き放射状に分散して流出される通孔を形成したことを特徴とする小便器トラップ。
【発明の詳細な説明】
【０００１】
【産業上の利用分野】
この発明は小便器底部の小便器トラップに関する。
【０００２】
【従来の技術及び発明が解決しようとする課題】
小便器の底部には、排水管からの臭気が逆流するのを防止するために小便器トラップが設けられている。
通常この小便器トラップは、図７に示しているように、小便器１００底部に立上管部１０２を設けてこれを直接若しくは小便器１００の排水通路を介して排水管に接続する一方、その立上管部１０２に対して、下向きの筒状部１０６を有するトラップ本体１０４を被せた形態となっている。
【０００３】
より具体的には、略水平な蓋部１０８とその蓋部１０８の下面より立下がる筒状部１０６とを備えたトラップ本体１０４を、その筒状部１０６と立上管部１０２及び小便器１００底部の凹部１１０の内周面との間に水路形成し且つ封水１１２を保持する状態に配置した形態となっている。
【０００４】
而してトラップ本体１０４は、小便器本体と別体を成していて脱着可能とされており、このトラップ本体１０４を脱着することで、小便器トラップ部分の清掃を行い得るようになっている。
【０００５】
ところで小便器１００にあっては尿中に含まれているカルシウム分等に基づいて尿石が排水経路に付着堆積し、これが排水不良をもたらす原因になるといった問題がある。
そこで従来、小便器１００の底部に尿石防止剤を置いて排水経路に尿石が付着するのを防止するといったことが行われている。
【０００６】
その具体的手段として、トラップ本体１０４における蓋部１０８を一部下向きに凹陥させて薬剤収容部を形成し、そこに尿石防止剤を収容するとともに、薬剤収容部の底部に下向きの縦の通孔を形成して、この通孔を通じて尿ないし水を下向きに落下させるようにしたものが提案されている。
【０００７】
このようにした場合、薬剤を容易に薬剤収容部にセットでき、またその取替えを容易に行うことができるが、一方において薬剤を通過した尿ないし水が底部の通孔よりそのまま真下に落下してしまうために、これより上側の小便器トラップ部分に対して薬剤が効果的に供給されず、同部において尿石の付着堆積を十分に防止できないといった不都合がある。
【０００８】
【課題を解決するための手段】
本願の発明はこのような課題を解決するためになされたものである。
【０００９】
即ち、本発明に係る小便器トラップは、小便器底部に起立状に設けられて直接若しくは排水通路を介して排水管に接続されている立上管部に対して略水平な蓋部及び当該立上管部よりも大径且つ下端が開口形状の筒状を成して当該蓋部より立ち下がる筒状部を備えたトラップ本体を当該筒状部が立上管部の外周面との間及び小便器底部の凹部の内周面との間にそれぞれ水路を形成し且つ封水を保持する状態に被せられる形態の小便器トラップにおいて、前記蓋部の外周近傍部位置を下向きに凹陥させて薬剤収容部を形成するとともに、前記立上管部よりも外側に位置する当該薬剤収容部の周壁部の複数箇所に間隔をおいて底面上から異なった向きの横向きに貫通して薬剤を通った尿及び洗浄水が前記小便器底部の凹部の内周面に向かって横向き放射状に分散して流出される通孔を形成したものである。
【００１０】
【作用及び発明の効果】
上記のように本発明は、トラップ本体における蓋部に下向き凹陥形状の薬剤収容部を設けるとともに、立上管部の外側の位置においてその薬剤収容部の周壁部に横向きの通孔を形成するようになしたもので、本発明によれば、薬剤を通った尿ないし水を薬剤収容部の周壁部より横向きに流出させることができる。
【００１１】
これにより小便器トラップにおける上部に対しても薬剤を十分に供給できるようになり、小便器トラップの上部において尿石が付着堆積するのを防止することができる。
【００１２】
また、本発明は、上記通孔を薬剤収容部の周壁部に沿って複数箇所に間隔を置いて且つ異なった向きに形成するようになしたもので、本発明によれば、薬剤を広い範囲に亘って分散供給することができ、小便器トラップの上部における尿石の付着堆積に対する防止効果を更に高めることができる。
【００１３】
【実施例】
次に本発明の実施例を図面に基づいて詳しく説明する。
図２において１０は床置式のストール小便器であって、床１２及び壁１４に接する状態で設置されている。
この小便器１０は、図３に示しているように底部に排水口部１６を有し、この排水口部１６がシール材１８を介して排水管２０に接続された状態で床１２上に設置されている。
【００１４】
具体的には、小便器１０底部の台座部２２がボルト２４にて床フランジ２６に固定され、更にその床フランジ２６が図示しない止付ビスにより床１２に固定されることにより、小便器１０が床１２に固定されている。
【００１５】
小便器１０の底部には、小便器トラップが設けられている。この小便器トラップは、図１に示しているように小便器本体２８に形成された凹部３０の底部略中心部において起立状に且つ小便器本体２８に一体に形成された立上管部３２と、小便器本体２８に対して脱着可能なトラップ本体３４とを含んでいる。
【００１６】
立上管部３２は、その下端部が前記排水口部１６とされ、また上端が開口形状とされている。ここで立上管部３２は上端側に進むにつれて径が漸次小さくなるようなテーパ形状をなしている。
【００１７】
トラップ本体３４は、略水平な蓋部３６を有し、その蓋部３６の下面から全体として立上管部３２よりも大径且つ下端が開口形状の筒状部３８が下向きに延び出している。
【００１８】
トラップ本体３４は、この筒状部３８と立上管部３２との間及び筒状部３８と凹部３０の内周面との間に水路形成し、且つ封水４０を保持する状態で、立上管部３２に対して下向きに被せられている。そして蓋部３６の外周縁部が凹部３０の上端部に形成されたテーパ状部４２に嵌め合わされ且つこれにより支持されている。
【００１９】
トラップ本体３４の蓋部３６には、図４に示しているように蓋部３６の外周近傍部において蓋部３６を下向きに凹陥させた形態の矩形状の薬剤収容部４４が形成され、そこに尿石防止剤５０が収容されるようになっている。そしてこの薬剤収容部４４の三方の周壁部４６に、即ち立上管部３２の外側の位置において周壁部４６には貫通する横向きの通孔４８が形成されている。
【００２０】
これら通孔４８は薬剤収容部４４の底面上に形成されており、また各通孔４８は周方向に９０°ずつ異なった位置に且つ異なった向きで形成されている。
【００２１】
本例においては、小便器１０上部に設けられたスプレーダ及び小便器の開口縁部に沿って設けらたリム通水路から放出された洗浄水は、小便器１０内面を洗浄しつつ小便器１０底部に流下し、トラップ本体３４の筒状部３８と立上管部３２との間の水路に流入した上、立上管部３２内に流れ込み、更に排水口部１６を経て排水管２０に排出される。
【００２２】
このとき、尿石防止剤５０を含有した尿及び洗浄水は図５に示しているように薬剤収容部４４における周壁部４６の通孔４８から放射状に分散して勢い良く流出するため、小便器トラップの上部に広い範囲に亘って薬剤が供給される。
従って本例によれば、小便器トラップの上部において尿石が付着堆積するのを防止することができる。
【００２３】
また通孔４８を尿石防止剤５０の薬剤収容部４４の周壁部４６に沿って複数個所に間隔を置いて且つ異なった向きに形成しているため、尿石防止剤５０を広い範囲に亘って分散供給することができ、小便器トラップ上部の尿石の付着堆積に対する防止効果を高めることができる。
【００２４】
以上は本発明を床置式のストール小便器１０に適用した場合の例であるが、本発明は図６に示す壁掛式のストール小便器５２に適用することも可能であるなど、その主旨を逸脱しない範囲において様々な変更を加えた形態で構成することが可能である。
【図面の簡単な説明】
【図１】本発明の一実施例である小便器トラップの要部断面図である。
【図２】図１の小便器トラップを備えた小便器の全体斜視図である。
【図３】図１の小便器トラップの要部拡大断面図である。
【図４】図１及び図３におけるトラップ本体の斜視図である。
【図５】図４のトラップ本体の断面図である。
【図６】本発明の適用対象である小便器の、図２とは異なる形態のものを示す図である。
【図７】従来の小便器トラップを示す図である。
【符号の説明】
１０，５２  小便器
２０  排水管
３０  凹部
３２  立上管部
３４  トラップ本体
３６  蓋部
３８  筒状部
４０  封水
４４  薬剤収容部
４６  周壁部
４８  通孔
５０  尿石防止剤
【図１】
0003656169.tif 000002
【図２】
0003656169.tif 000003
【図３】
0003656169.tif 000004
【図４】
0003656169.tif 000005
【図５】
0003656169.tif 000006
【図６】
0003656169.tif 000007
【図７】
0003656169.tif 000008